【手続補正書】
【提出日】平成17年9月22日(2005.9.22)
【手続補正１】
【補正対象書類名】明細書
【補正対象項目名】発明の名称
【補正方法】変更
【補正の内容】
【発明の名称】端末機器、提供サーバ、電子情報利用方法、電子情報提供方法、および端末機器プログラム
【手続補正２】
【補正対象書類名】明細書
【補正対象項目名】特許請求の範囲
【補正方法】変更
【補正の内容】
【特許請求の範囲】
【請求項１】  表示手段と、仲介手段と、認証情報送信手段と、を備えた端末機器であって、
前記表示手段は、ネットワーク上で提供される電子情報を閲覧可能に表示する表示機能と、前記仲介手段を指定する指定情報を受信する指定情報受信機能と、前記受信した指定情報を用いて前記仲介手段を指定する指定機能と、を備え、
前記仲介手段は、前記指定機能により指定されて前記認証情報送信手段を起動し、
前記認証情報送信手段は、前記仲介手段により起動されて、認証サーバに機器認証情報を送信する
ことを特徴とする端末機器。
【請求項２】  前記認証サーバから認証結果を受信する認証結果受信手段と、
前記受信した認証結果を、電子情報を提供する提供サーバに送信する認証結果送信手段と、
前記送信した認証結果に基づいて前記提供サーバから送られる電子情報を受信する電子情報受信手段と、
を具備したことを特徴とする請求項１に記載の端末機器。
【請求項３】  前記仲介手段は、前記提供サーバから受信した電子情報を利用する利用機能を備えたことを特徴とする請求項２に記載の端末機器。
【請求項４】  前記提供サーバに対して、電子情報の提供を要求する要求手段を具備し、
前記指定情報受信機能は、前記要求した要求に基づいて前記提供サーバから送られる指定情報を受信することを特徴とする請求項２に記載の端末機器。
【請求項５】  前記指定情報受信機能は、前記認証サーバに接続するための接続情報を含む指定情報を受信し、
前記認証情報送信手段は、前記受信した接続情報を用いて前記認証サーバに接続することを特徴とする請求項１に記載の端末機器。
【請求項６】  前記認証サーバは複数存在し、前記指定情報受信機能は、接続する優先順位により順位付けられた前記認証サーバごとの接続情報を含んだ指定情報を受信することを特徴とする請求項５に記載の端末機器。
【請求項７】  前記指定情報受信機能は、前記提供サーバに接続するための接続情報を含んだ指定情報を受信し、
前記認証結果送信手段は、受信した前記接続情報を用いて前記提供サーバに接続することを特徴とする請求項２に記載の端末機器。
【請求項８】  請求項２に記載の端末機器に電子情報を提供する提供サーバであって、
前記端末機器の表示手段が認証情報送信手段を起動する仲介手段を指定するための指定情報を送信する指定情報送信手段と、
前記端末機器から認証結果を受信する認証結果受信手段と、
前記受信した認証結果に基づいて電子情報を送信する電子情報送信手段と、
を具備したことを特徴とする提供サーバ。
【請求項９】  前記端末機器から、電子情報の提供の要求を受け付ける要求受け付け手段を具備し、
前記指定情報送信手段は、前記受け付けた要求に基づいて前記指定情報を送信することを特徴とする請求項８に記載の提供サーバ。
【請求項１０】  前記端末機器から認証情報を受信する認証情報受信手段と、
前記受信した認証情報を用いて前記端末機器を認証する認証手段と、
を具備し、
前記電子情報送信手段は、前記認証手段による認証結果に基づいて前記端末機器に電子情報を送信することを特徴とする請求項８に記載の提供サーバ。
【請求項１１】  表示手段と、仲介手段と、認証情報送信手段と、を備えたコンピュータにおいて、
ネットワーク上で提供される電子情報を閲覧可能に表示する表示機能と、前記仲介手段を指定する指定情報を受信する指定情報受信機能と、前記受信した指定情報を用いて前記仲介手段を指定する指定機能と、を前記表示手段で実現する表示ステップと、
前記表示ステップの前記指定機能により前記仲介手段を指定して前記仲介手段に前記認証情報送信手段を起動させる仲介ステップと、
前記仲介ステップにより前記認証情報送信手段を起動して認証サーバに機器認証情報を送信する認証情報送信ステップと、
から構成されたことを特徴とする電子情報利用方法。
【請求項１２】  請求項２に記載の端末機器に電子情報を提供する提供サーバで用いる電子情報提供方法であって、
前記提供サーバは、指定情報送信手段と、認証結果受信手段と、電子情報送信手段と、を備えており、
前記端末機器の表示手段が認証情報送信手段を起動する仲介手段を指定するための指定情報を前記指定情報送信手段で送信する指定情報送信ステップと、
前記端末機器から認証結果を前記認証結果受信手段で受信する認証結果受信ステップと、
前記受信した認証結果に基づいて電子情報を前記電子情報送信手段で送信する電子情報送信ステップと、
から構成された特徴とする電子情報提供方法。
【請求項１３】  表示機能と、仲介機能と、認証情報送信機能と、コンピュータで実現する端末機器プログラムであって、
前記表示機能は、ネットワーク上で提供される電子情報を閲覧可能に表示する表示機能と、前記仲介機能を指定する指定情報を受信する指定情報受信機能と、前記受信した指定情報を用いて前記仲介機能を指定する指定機能と、を備え、
前記仲介機能は、前記指定機能により指定されて前記認証情報送信機能を起動し、
前記認証情報送信機能は、前記仲介機能により起動されて、認証サーバに機器認証情報を送信する
ことを特徴とする端末機器プログラム。
【手続補正３】
【補正対象書類名】明細書
【補正対象項目名】００２１
【補正方法】変更
【補正の内容】
【００２１】
【課題を解決するための手段】
本発明は、前記目的を達成するために、表示手段と、仲介手段と、認証情報送信手段と、を備えた端末機器であって、前記表示手段は、ネットワーク上で提供される電子情報を閲覧可能に表示する表示機能と、前記仲介手段を指定する指定情報を受信する指定情報受信機能と、前記受信した指定情報を用いて前記仲介手段を指定する指定機能と、を備え、前記仲介手段は、前記指定機能により指定されて前記認証情報送信手段を起動し、前記認証情報送信手段は、前記仲介手段により起動されて、認証サーバに機器認証情報を送信することを特徴とする端末機器を提供する（第１の構成）。
ここで、第１の構成は、前記認証サーバから認証結果を受信する認証結果受信手段と、前記受信した認証結果を、電子情報を提供する提供サーバに送信する認証結果送信手段と、前記送信した認証結果に基づいて前記提供サーバから送られる電子情報を受信する電子情報受信手段と、を具備するように構成することができる（第２の構成）。
ここで、第２の構成の前記仲介手段は、前記提供サーバから受信した電子情報を利用する利用機能を備えるように構成することができる。
更に、第２の構成で、前記提供サーバに対して、電子情報の提供を要求する要求手段を具備し、前記指定情報受信機能は、前記要求した要求に基づいて前記提供サーバから送られる指定情報を受信するように構成することもできる。
また、第１の構成で、前記指定情報受信機能が、前記認証サーバに接続するための接続情報を含む指定情報を受信し、前記認証情報送信手段は、前記受信した接続情報を用いて前記認証サーバに接続するように構成することもできる（第３の構成）。
第３の構成において、前記認証サーバは複数存在し、前記指定情報受信機能は、接続する優先順位により順位付けられた前記認証サーバごとの接続情報を含んだ指定情報を受信するように構成することもできる。
第２の構成において、前記指定情報受信機能が、前記提供サーバに接続するための接続情報を含んだ指定情報を受信し、前記認証結果送信手段は、受信した前記接続情報を用いて前記提供サーバに接続するように構成することもできる。
第２の構成の端末機器に電子情報を提供する提供サーバであって、前記端末機器の表示手段が認証情報送信手段を起動する仲介手段を指定するための指定情報を送信する指定情報送信手段と、前記端末機器から認証結果を受信する認証結果受信手段と、前記受信した認証結果に基づいて電子情報を送信する電子情報送信手段と、を具備したことを特徴とする提供サーバ（第４の構成）。
第４の構成の提供サーバが、前記端末機器から、電子情報の提供の要求を受け付ける要求受け付け手段を具備し、前記指定情報送信手段は、前記受け付けた要求に基づいて前記指定情報を送信するように構成することもできる。
また、第４の構成の提供サーバが、前記端末機器から認証情報を受信する認証情報受信手段と、前記受信した認証情報を用いて前記端末機器を認証する認証手段と、を具備し、前記電子情報送信手段が、前記認証手段による認証結果に基づいて前記端末機器に電子情報を送信するように構成することもできる。
また、本発明は、前記目的を達成するために、表示手段と、仲介手段と、認証情報送信手段と、を備えたコンピュータにおいて、ネットワーク上で提供される電子情報を閲覧可能に表示する表示機能と、前記仲介手段を指定する指定情報を受信する指定情報受信機能と、前記受信した指定情報を用いて前記仲介手段を指定する指定機能と、を前記表示手段で実現する表示ステップと、前記表示ステップの前記指定機能により前記仲介手段を指定して前記仲介手段に前記認証情報送信手段を起動させる仲介ステップと、前記仲介ステップにより前記認証情報送信手段を起動して認証サーバに機器認証情報を送信する認証情報送信ステップと、から構成されたことを特徴とする電子情報利用方法を提供する（第５の構成）。
また、本発明は、前記目的を達成するために、第２の構成の端末機器に電子情報を提供する提供サーバで用いる電子情報提供方法であって、前記提供サーバは、指定情報送信手段と、認証結果受信手段と、電子情報送信手段と、を備えており、前記端末機器の表示手段が認証情報送信手段を起動する仲介手段を指定するための指定情報を前記指定情報送信手段で送信する指定情報送信ステップと、前記端末機器から認証結果を前記認証結果受信手段で受信する認証結果受信ステップと、前記受信した認証結果に基づいて電子情報を前記電子情報送信手段で送信する電子情報送信ステップと、から構成された特徴とする電子情報提供方法を提供する（第６の構成）。
また、本発明は、前記目的を達成するために、表示機能と、仲介機能と、認証情報送信機能と、コンピュータで実現する端末機器プログラムであって、前記表示機能は、ネットワーク上で提供される電子情報を閲覧可能に表示する表示機能と、前記仲介機能を指定する指定情報を受信する指定情報受信機能と、前記受信した指定情報を用いて前記仲介機能を指定する指定機能と、を備え、前記仲介機能は、前記指定機能により指定されて前記認証情報送信機能を起動し、前記認証情報送信機能は、前記仲介機能により起動されて、認証サーバに機器認証情報を送信することを特徴とする端末機器プログラムを提供する（第７の構成）。